(57)【要約】  一つの実施の形態に係る映像表示装置は、第１の部分と、第２の部分（１２）と、第３の部分（１２０）とを備える。前記第１の部分は、映像を表示する画面を有する。前記第２の部分（１２）は、支持部（３１）と、前記第１の部分と前記支持部（３１）とを接続するよう構成された二つの支柱（３２）と、を有し、前記第１の部分を支持するよう構成される。前記第３の部分（１２０）は、前記画面の反対側で少なくとも一方の前記支柱（３２）に接し、前記第２の部分（１２）に取り付けられるよう構成される。
2015145581.tif 000002
【特許請求の範囲】
【請求項１】
映像を表示する画面を有する第１の部分と、  支持部と、前記第１の部分と前記支持部とを接続するよう構成された二つの支柱と、を有し、前記第１の部分を支持するよう構成された第２の部分と、  前記画面の反対側で少なくとも一方の前記支柱に接し、前記第２の部分に取り付けられるよう構成された少なくとも一つの第３の部分と、  を具備する映像表示装置。
【請求項２】
前記第２の部分及び前記第３の部分の一方に設けられ、互いに向き合うよう構成された二つの第１の留め部と、  前記第２の部分及び前記第３の部分の他方に設けられ、前記二つの第１の留め部の間に配置されることで前記第２の部分を前記第３の部分に留めるよう構成された第２の留め部と、  をさらに具備する、請求項１の映像表示装置。
【請求項３】
前記第２の留め部とともに前記第２の部分又は前記第３の部分に設けられ、互いに向き合うよう構成された二つの第３の留め部と、  前記第１の留め部とともに前記第２の部分又は前記第３の部分に設けられ、前記二つの第３の留め部の間に配置されることで前記第２の部分を前記第３の部分に留めるよう構成された第４の留め部と、  をさらに具備する、請求項２の映像表示装置。
【請求項４】
前記第３の部分は、互いに向き合うよう構成された二つの壁を有し、  前記第１の留め部は、前記第２の部分に設けられ、  前記第２の留め部は、前記第３の部分の前記二つの壁にそれぞれ設けられ、前記第１の留め部にそれぞれ留められるよう構成された二つの掛部を有し、  前記第３の留め部は、前記第３の部分の前記二つの壁にそれぞれ設けられ、  前記第４の留め部は、前記第２の部分に設けられた、  請求項３の映像表示装置。
【請求項５】
前記第３の部分は、前記二つの壁の間に前記第１の部分から延びるケーブルを通されるよう構成された、請求項４の映像表示装置。
【請求項６】
前記二つの掛部は、前記二つの第１の留め部にそれぞれ引っかかるよう構成された、請求項４の映像表示装置。
【請求項７】
前記二つの掛部と前記二つの第１の留め部とは、それぞれ第１の方向に延びるよう構成され、  前記二つの第３の留め部と前記第４の留め部とは、それぞれ前記第１の方向と交差する第２の方向に延びるとともに互いに引っかかるよう構成された、請求項４の映像表示装置。
【請求項８】
前記二つの支柱は、      前記第１の部分にそれぞれ固定されるよう構成された二つの第１の部材と、      前記二つの第１の部材にそれぞれ固定されるよう構成された、共通の二つの第２の部材と、      前記二つの第１の部材とずれた位置で前記二つの第２の部材にそれぞれ固定されるよう構成された二つの第３の部材と、  を有する、請求項１乃至請求項７のいずれか一つの映像表示装置。
【請求項９】
前記二つの第１の部材は、第１の嵌り部をそれぞれ有し、  前記二つの第２の部材は、複数の第２の嵌り部をそれぞれ有し、  前記二つの第３の部材は、第３の嵌り部をそれぞれ有し、  前記複数の第２の嵌り部は、前記第１の嵌り部と嵌り合うとともに、前記第３の嵌り部とも嵌り合うよう構成された、請求項８の映像表示装置。
【請求項１０】
前記第２の部材は、第３の方向に延ばされるとともに、前記第３の方向に並べられるとともに前記第１の部材又は前記第３の部材がそれぞれ固定されるよう構成された複数の固定部を有し、  前記複数の第２の嵌り部は、対応する前記複数の固定部に対してそれぞれ前記第３の方向にずらされた、  請求項９の映像表示装置。
【請求項１１】
前記二つの第１の部材は互いに共通であり、  前記二つの第３の部材は互いに共通である、  請求項１０の映像表示装置。
【請求項１２】
前記二つの第１の部材は、前記第１の部分の内部に配置されるよう構成され、  前記二つの第２の部材は、前記第１の部分の内部に配置されるよう構成された、  請求項１１の映像表示装置。
【請求項１３】
前記支持部は、一方の前記支柱から他方の前記支柱に延ばされ、互いに接続される複数の部材を有する、請求項１乃至請求項１２のいずれか一つの映像表示装置。
【請求項１４】
前記複数の部材は、前記二つの支柱に取り付けられるよう構成された共通の二つの第１のピースと、一方の端部が一方の前記第１のピースに接続され、他方の端部が他方の前記第１のピースに接続された亘り部と、を有する、請求項１３の映像表示装置。
【請求項１５】
前記亘り部は、一方の端部が対応する前記第１のピースに接続され、他方の端部が互いに向き合うよう構成された、共通の二つの第２のピースと、一方の端部が一方の前記第２のピースに接続され、他方の端部が他方の前記第２のピースに接続された第３のピースと、を有する、請求項１４の映像表示装置。
【請求項１６】
前記画面は、第４の方向に向き、  前記第１のピースと対応する前記第２のピースとが接続された部分は、前記画面に対して前記第４の方向にずらされるよう構成された、  請求項１５の映像表示装置。
【請求項１７】
前記第２のピースは、第５の方向に延びる第１の延部と、前記第５の方向と交差する第６の方向に延びるとともに前記第１の延部よりも長い第２の延部と、を有する、請求項１６の映像表示装置。
【請求項１８】
前記第２の部分は、前記第２の部分が置かれる載置面に接するとともに、前記第１のピースと前記第２のピースとが接続された位置に取り付けられるよう構成された弾性体を有する、請求項１７の映像表示装置。
【請求項１９】
前記複数の部材は、溶接によって互いに接続される、請求項１３乃至請求項１８のいずれか一つの映像表示装置。
【発明の詳細な説明】
【技術分野】
【０００１】  本発明の実施形態は、映像表示装置に関する。
【背景技術】
【０００２】  テレビジョン受像装置のような映像表示装置は、画像を表示する部分を支持するスタンドを有する。
【先行技術文献】
【特許文献】
【０００３】
【特許文献１】特開２００５−１５９２１８号公報
【発明の概要】
【発明が解決しようとする課題】
【０００４】  映像表示装置は、一般的に、より安価に製造されることが求められる。【０００５】  本発明が解決する課題の一例は、より安価な映像表示装置を提供することである。
【課題を解決するための手段】
【０００６】  一つの実施の形態に係る映像表示装置は、第１の部分と、第２の部分と、第３の部分とを備える。前記第１の部分は、映像を表示する画面を有する。前記第２の部分は、支持部と、前記第１の部分と前記支持部とを接続するよう構成された二つの支柱と、を有し、前記第１の部分を支持するよう構成される。前記第３の部分は、前記画面の反対側で少なくとも一方の前記支柱に接し、前記第２の部分に取り付けられるよう構成される。
【図面の簡単な説明】
【０００７】
【図１】図１は、第１の実施の形態に係るテレビを示す斜視図である。
【図２】図２は、第１の実施形態のスタンドを示す斜視図である。
【図３】図３は、第１の実施形態のベースフレームを示す斜視図である。
【図４】図４は、第１の実施形態のテレビを示す側面図である。
【図５】図５は、第１の実施形態の支柱を示す断面図である。
【図６】図６は、第１の実施形態の支柱を分解して示す斜視図である。
【図７】図７は、第１の実施形態のスタンドとカバーとを示す断面図である。
【図８】図８は、第１の実施形態のスタンドとカバーとを示す背面図である。
【図９】図９は、第１の実施形態の変形例に係るベースフレームを示す斜視図である。
【図１０】図１０は、第２の実施の形態に係る支柱を示す断面図である。
【発明を実施するための形態】
【０００８】  以下に、第１の実施の形態について、図１乃至図９を参照して説明する。なお、本明細書においては基本的に、ユーザ側を前方、ユーザから遠い側を後方、ユーザから見て左側を左方、ユーザから見て右側を右方、ユーザから見て上方を上方、ユーザから見て下方を下方と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】  図１は、第１の実施の形態に係るテレビジョン受像装置（以下、テレビと称する）１０を示す斜視図である。テレビ１０は、映像表示装置の一例である。なお、映像表示装置はテレビ１０に限らず、ポータブルコンピュータ、ディスプレイ、携帯電話、スマートフォン、タブレット、及びカーナビゲーションシステムのような種々の装置であっても良い。
【００１０】  図面に示されるように、本明細書において、Ｘ軸、Ｙ軸及びＺ軸が定義される。Ｘ軸とＹ軸とＺ軸とは、互いに直交する。Ｘ軸は、テレビ１０の幅（長さ）に沿う。Ｙ軸は、テレビ１０の奥行（厚み）に沿う。Ｚ軸は、テレビ１０の高さに沿う。
【００１１】  図１に示すように、テレビ１０は、表示部１１と、スタンド１２とを有する。表示部１１は、第１の部分の一例であり、例えば、本体、装置、又は部分のようにも称され得る。スタンド１２は、第２の部分の一例であり、例えば、支持部、保持部、載置部、又は部分のようにも称され得る。
【００１２】  表示部１１は、電波又はケーブルを用いて送信される信号を受信するとともに、当該信号から映像及び音声を再生する。なお、本明細書において、映像は、例えば、静止画、動画、及び単色画面を含む。表示部１１は、筐体２１と、ディスプレイモジュール２２とを有する。
【００１３】  筐体２１は、例えば、合成樹脂によって作られ、扁平な四角形の箱型に形成される。筐体２１は、前面２１ａと、ディスプレイ開口２１ｂとを有する。前面２１ａは、前方に向く。ディスプレイ開口２１ｂは、前面２１ａに設けられた四角形の開口である。筐体２１は、ディスプレイモジュール２２と、シャーシ、回路基板、スピーカ、及びチューナのような種々の部品とを収容する。
【００１４】  ディスプレイモジュール２２は、画面２２ａを有する。画面２２ａは、Ｙ軸に沿う方向である前方に向く。前方は、第４の方向の一例である。ディスプレイモジュール２２の画面２２ａは、筐体２１のディスプレイ開口２１ｂによって露出される。画面２２ａは、例えば透明なガラスによって覆われる。ディスプレイモジュール２２は、テレビ１０が受信した信号に基づく映像を、画面２２ａに表示する。なお、画面２２ａに表示される映像はこれに限らない。
【００１５】  図２は、スタンド１２を示す斜視図である。スタンド１２は、表示部１１に取り付けられる。スタンド１２は、例えば、テレビ１０が置かれるラックの載置面Ｇ（図４に示す）に接し、表示部１１を支持するよう構成される。なお、表示部１１は、スタンド１２によって支持される代わりに、例えば壁に取り付けられることが可能であっても良い。
【００１６】  図２に示すように、スタンド１２は、ベースフレーム３１と、二つの支柱３２と、を有する。ベースフレーム３１は、支持部の一例であり、例えば、脚、枠、台、部材、又は部品のようにも称され得る。支柱３２は、例えば、支持部、保持部、部材、又は部品のようにも称され得る。
【００１７】  二つの支柱３２は、略Ｕ字状に形成されたベースフレーム３１の両端部に取り付けられる。言い換えると、ベースフレーム３１は、一方の支柱３２から、他方の支柱３２に延ばされる。なお、ベースフレーム３１の形状はこれに限らない。二つの支柱３２は、表示部１１とベースフレーム３１とを接続する。
【００１８】  図３は、ベースフレーム３１を示す斜視図である。図３に示すように、ベースフレーム３１は、二つの第１のピース３５と、二つの第２のピース３６と、第３のピース３７とを有する。第２のピース３６及び第３のピース３７は、亘り部の一例である。第１乃至第３のピース３５〜３７は、複数の部材の一例であり、例えば部分のようにも称され得る。図３は、第１のピース３５と第２のピース３６との境界と、第２のピース３６と第３のピース３７との境界とを、二点鎖線で示す。
【００１９】  二つの第１のピース３５と、二つの第２のピース３６と、第３のピース３７とは、互いに溶接される。なお、第１のピース３５と、第２のピース３６と、第３のピース３７とは、例えば、接着のような他の方法によって互いに接続されても良い。
【００２０】  ベースフレーム３１は、互いに溶接される第１乃至第３のピース３５〜３７によって作られる。なお、ベースフレーム３１は他の部材を含んでも良い。ベースフレーム３１の表面は磨かれ、第１乃至第３のピース３５〜３７の溶接された部分は、目立たなくなる。なお、例えばベースフレーム３１を切断することで、第１乃至第３のピース３５〜３７の溶接された部分は判別可能である。
【００２１】  第１のピース３５は、Ｙ軸に沿う方向に延びる板状の部材である。第１のピース３５は、例えば圧延鋼材によって作られるが、他の材料によって作られても良い。第１のピース３５は、例えば、プレス加工及びレーザー加工のような種々の方法によって作られる。第１のピース３５は、他の形状に形成されても良く、他の方法によって作られても良い。
【００２２】  二つの第１のピース３５は、互いに共通（略同一）の形状を有する。二つの第１のピース３５は、略平行に配置される。なお、二つの第１のピース３５の配置はこれに限らない。第１のピース３５は、前端部４１と、後端部４２と、固定部４３と、介在部４４と、をそれぞれ有する。介在部４４は、第４の留め部の一例であり、例えば、拡張部、押し広げ部、又は部分のようにも称され得る。
【００２３】  前端部４１は、前方に向く第１のピース３５の一方の端部である。後端部４２は、前端部４１の反対側に位置し、後方に向く第１のピース３５の他方の端部である。後端部４２に、転倒防止部４７と、二つの底溝４８とがそれぞれ設けられる。
【００２４】  転倒防止部４７は、例えば、後端部４２に設けられた複数の孔を有する。例えば、ネジが当該孔を通って転倒防止部４７を載置面Ｇにねじ止めし、又は、前記ラックに固定されたワイヤに接続される転倒防止部材が転倒防止部４７に取り付けられる。これにより、テレビ１０が例えば地震によって転倒することが抑制される。
【００２５】  底溝４８は、第１のピース３５の側面３５ａと底面３５ｂとの角部分に設けられ、Ｙ軸に沿う方向に延びる凹部である。側面３５ａは、Ｘ軸に沿う方向に向く。底面３５ｂは、載置面Ｇに向く。なお、底溝４８は、側面３５ａにのみ設けられても良い。
【００２６】  固定部４３に、対応する支柱３２が取り付けられる。固定部４３に、孔４３ａと複数の孔４３ｂとが設けられる。例えば、孔４３ａに、支柱３２に設けられた突起が嵌め込まれる。さらに、複数の孔４３ｂに、それぞれネジが通される。当該ネジによって、第１のピース３５が支柱３２に固定される。
【００２７】  介在部４４は、後端部４２を含む第１のピース３５の一部である。介在部４４の幅（Ｘ軸に沿う方向の寸法）は、第１のピース３５の他の部分の幅よりも狭い。なお、介在部４４の寸法はこれに限らない。底溝４８は、介在部４４に配置される。
【００２８】  第２のピース３６は、略Ｌ字状に形成された板状の部材である。第２のピース３６は、第１のピース３５と同じく、例えば圧延鋼材によって作られるが、他の材料によって作られても良い。第２のピース３６は、例えば、プレス加工及びレーザー加工のような種々の方法によって作られる。第２のピース３６は、他の形状に形成されても良く、他の方法によって作られても良い。
【００２９】  二つの第２のピース３６は、互いに共通の形状を有する。第２のピース３６は、短辺部５１と、長辺部５２と、曲部５３と、をそれぞれ有する。短辺部５１は、第１の延部の一例である。長辺部５２は、第２の延部の一例である。短辺部５１及び長辺部５２は、例えば、部分のようにも称され得る。
【００３０】  本実施形態において、短辺部５１は、Ｙ軸に沿う方向に延びる。Ｙ軸に沿う方向は、第５の方向の一例である。短辺部５１に、第２のピース３６の第１の端部５５が設けられる。第１の端部５５は、第２のピースの一方の端部の一例である。第１の端部５５は、Ｙ軸に沿う方向に向き、対応する第１のピース３５の前端部４１に溶接される。
【００３１】  図４は、テレビ１０を示す側面図である。図４に示すように、互いに溶接される第１のピース３５の前端部４１と、第２のピース３６の第１の端部５５と、の境界は、画面２２ａよりも前方に位置する。言い換えると、第１のピース３５と対応する第２のピース３６とが溶接された部分は、画面２２ａに対して前方にずらされる。
【００３２】  図３に示すように、本実施形態において、長辺部５２は、Ｘ軸に沿う方向に延びる。Ｘ軸に沿う方向は、第６の方向の一例である。言い換えると、長辺部５２は、短辺部５１と交差する方向に延びる。長辺部５２は、短辺部５１よりも長い。
【００３３】  長辺部５２に、第２のピース３６の第２の端部５６が設けられる。第２の端部５６は、第２のピース３６の他方の端部の一例である。第２の端部５６は、Ｘ軸に沿う方向に向く。一方の第２のピース３６の第２の端部５６と、他方の第２のピース３６の第２の端部５６とは、互いに向き合う。
【００３４】  曲部５３は、短辺部５１と長辺部５２との間に設けられた円弧状の部分である。言い換えると、曲部５３は、短辺部５１と長辺部５２とを接続する。第２のピース３６の曲部５３は、上述のように、プレス加工及びレーザー加工のような種々の方法によって作られるが、例えばエッジワイズのような曲げ加工によって作られても良い。
【００３５】  第３のピース３７は、Ｘ軸に沿う方向に延びる板状の部材である。第３のピース３７は、例えば圧延鋼材によって作られるが、他の材料によって作られても良い。第３のピース３７は、例えば、プレス加工及びレーザー加工のような種々の方法によって作られる。第３のピース３７は、他の形状に形成されても良く、他の方法によって作られても良い。
【００３６】  第３のピース３７は、左端部６１と、右端部６２とを有する。左端部６１は、一方の端部の一例である。右端部６２は、他方の端部の一例である。左端部６１及び右端部６２は、例えば、端、縁、又は部分のようにも称され得る。
【００３７】  左端部６１は、一方の第２のピース３６の、第２の端部５６に溶接される。右端部６２は、左端部６１の反対側に位置する。右端部６２は、他方の第２のピース３６の、第２の端部５６に溶接される。すなわち、第３のピース３７は、一方の第２のピース３６から他方の第２のピース３６に延びる。第３のピース３７の長さは、一方の第２のピース３６の第２の端部５６と、他方の第２のピース３６の第２の端部５６と、の間の距離に実質的に等しい。
【００３８】  図４に示すように、ベースフレーム３１は、複数のゴム足６５をさらに有する。ゴム足６５は、弾性体の一例であり、例えば、クッション、緩衝材、足、又は部分のようにも称され得る。ゴム足６５は、例えば合成ゴムによって作られる。ゴム足６５は、載置面Ｇに面するベースフレーム３１の底面３１ａに、例えば両面テープによって取り付けられる。ゴム足６５は、載置面Ｇに接し、ベースフレーム３１を支持する。
【００３９】  二つのゴム足６５は、第１のピース３５と第２のピース３６とが溶接された位置に取り付けられる。すなわち、ゴム足６５は、第１のピース３５と第２のピース３６とが溶接された部分を覆う。さらに、他の二つのゴム足６５は、第２のピース３６と第３のピース３７とが溶接された位置に取り付けられる。
【００４０】  図５は、支柱３２を示す断面図である。図６は、支柱３２を分解して示す斜視図である。図５は、左方の支柱３２（以下、支柱３２Ｌと称する）を実線で示す。さらに、図５は、右方の支柱３２（以下、支柱３２Ｒと称する）を二点鎖線で示す。
【００４１】  図５に示すように、二つの支柱３２は、柱部７１と、変換部材７２と、ブラケット７３と、締結部材７４と、をそれぞれ有する。柱部７１は、第３の部材の一例であり、例えば、下部、部材、又は部分のようにも称され得る。変換部材７２は、第２の部材の一例であり、例えば、中部、部材、又は部分のようにも称され得る。ブラケット７３は、第１の部材の一例であり、例えば、上部、部材、又は部分のようにも称され得る。
【００４２】  柱部７１は、例えば、押出成形された圧延鋼材によって作られる。なお、柱部７１は、他の方法で作られても良く、他の材料によって作られても良い。二つの支柱３２の柱部７１は、互いに共通の形状を有する。柱部７１は、上端７１ａと、下端７１ｂとを有する。
【００４３】  柱部７１の下端７１ｂは、上端７１ａの反対側に位置する。下端７１ｂは、上端７１ａに対して略平行に配置される。図４に示すように、柱部７１は、上端７１ａから、下端７１ｂに向かって斜め方向（図４における右下方向）に延びる。柱部７１の下端７１ｂは、第１のピース３５の固定部４３に取り付けられる。
【００４４】  図６に示すように、柱部７１の上端７１ａに、二つの固定孔７５と、二つの凹部７６と、溝７７とが設けられる。固定孔７５は、例えば、固定部又は取付部のようにも称され得る。凹部７６は、第３の嵌り部の一例であり、例えば、窪み、開口、穴、移動を制限する部分、又は部分のようにも称され得る。
【００４５】  固定孔７５は、例えばネジ孔である。固定孔７５は、例えば、Ｘ軸に沿う方向において、柱部７１の上端７１ａの中央部に位置する。二つの固定孔７５は、Ｙ軸に沿う方向に並ぶ。なお、固定孔７５の配置はこれに限らない。
【００４６】  凹部７６は、例えば円形の窪みである。凹部７６は、固定孔７５に対して、例えばＸ軸に沿う方向である左方にずらされる。二つの凹部７６は、Ｙ軸に沿う方向に並ぶ。なお、凹部７６の形状及び配置はこれに限らない。
【００４７】  溝７７は、二つの固定孔７５の間に位置するとともに、二つの凹部７６の間に位置する。溝７７は、柱部７１の一方の側面７１ｃから他方の側面７１ｃに向かって、Ｘ軸に沿う方向に延びる。柱部７１の側面７１ｃは、それぞれＸ軸に沿う方向に向く。
【００４８】  図７は、図５のＦ７−Ｆ７線に沿って、スタンド１２の一部を示す断面図である。図７に示すように、柱部７１に、取付部８１が設けられる。取付部８１は、二つの側壁８２と、中壁８３とを有する。二つの側壁８２は、第１の留め部の一例であり、例えば、壁、取付部、固定部、保持部、又は部分のようにも称され得る。
【００４９】  二つの側壁８２は、互いに向き合うように配置される。側壁８２と中壁８３とは、柱部７１が延びる前記斜め方向に平行に延びる。当該斜め方向は、第１の方向の一例である。中壁８３は、隙間を介して、二つの側壁８２の間に位置する。このため、側壁８２は、中壁８３にそれぞれ面する。
【００５０】  側壁８２と中壁８３とは、柱部７１の後面７１ｄを形成する。後面７１ｄは、後斜め上（図４における右上方向）に向く斜面である。すなわち、後面７１ｄは、表示部１１の画面２２ａの反対側である後方に向く。二つの側壁８２と、中壁８３との間に、二つの取付溝８５がそれぞれ形成される。取付溝８５は、後面７１ｄに開口するとともに、側壁８２及び中壁８３と平行に延びる。取付溝８５は、柱部７１の上端７１ａから下端７１ｂまで設けられる。
【００５１】  図５に示す変換部材７２は、例えば、圧延鋼材によって作られる。なお、変換部材７２は、他の材料によって作られても良い。二つの支柱３２の変換部材７２は、互いに共通の形状を有する。
【００５２】  変換部材７２は、Ｘ軸に沿う方向に延びる板状に形成される。Ｘ軸に沿う方向は、第３の方向の一例である。変換部材７２は、上面７２ａと、下面７２ｂとを有する。下面７２ｂは、上面７２ａの反対側に位置する。
【００５３】  図６に示すように、変換部材７２は、二つの第１の固定部９１と、二つの第２の固定部９２と、二つの第１の嵌合部９３と、二つの第２の嵌合部９４と、補強部９５と、を有する。第１及び第２の固定部９１，９２は、固定部の一例であり、例えば、孔、開口、又は取付部のようにも称され得る。第１及び第２の嵌合部９３，９４は、第２の嵌り部の一例であり、例えば、凹部、凸部、窪み、開口、穴、突起、挿入部、移動を制限する部分、又は部分のようにも称され得る。
【００５４】  第１の固定部９１は、円形の孔である。なお、第１の固定部９１はこれに限らない。二つの第１の固定部９１は、Ｙ軸に沿う方向に並べられる。二つの第１の固定部９１は、柱部７１の二つの固定孔７５に対応して配置される。すなわち、二つの第１の固定部９１の間隔は、二つの固定孔７５の間隔に実質的に等しい。
【００５５】  第２の固定部９２は、円形の孔である。なお、第２の固定部９２はこれに限らない。二つの第２の固定部９２は、Ｙ軸に沿う方向に並べられる。二つの第２の固定部９２も、第１の固定部９１と同じく、柱部７１の二つの固定孔７５に対応して配置される。すなわち、二つの第２の固定部９２の間隔は、二つの固定孔７５の間隔に実質的に等しい。さらに、第２の固定部９２の直径は、第１の固定部９１の直径に実質的に等しい。
【００５６】  第１の固定部９１と、対応する第２の固定部９２とは、Ｘ軸に沿う方向に並べられる。第１の固定部９１は、対応する第２の固定部９２の左方に位置する。二つの第１の固定部９１と、二つの第２の固定部９２とは、略平行に配置される。
【００５７】  第１の嵌合部９３は、いわゆるハーフパンチによって変換部材７２に作られる。第１の嵌合部９３は、変換部材７２の上面７２ａに円形の窪みを形成するとともに、下面７２ｂに円形の突起を形成する。なお、第１の嵌合部９３の形状はこれに限らず、四角形のような他の形状であっても良い。
【００５８】  二つの第１の嵌合部９３は、Ｙ軸に沿う方向に並べられる。二つの第１の嵌合部９３は、柱部７１の二つの凹部７６に対応して配置される。すなわち、二つの第１の嵌合部９３の間隔は、二つの凹部７６の間隔に実質的に等しい。第１の嵌合部９３は、対応する第１の固定部９１に対して、例えばＸ軸に沿う方向である左方にずらされる。
【００５９】  第２の嵌合部９４は、いわゆるハーフパンチによって変換部材７２に作られる。第２の嵌合部９４は、変換部材７２の上面７２ａに円形の窪みを形成するとともに、下面７２ｂに円形の突起を形成する。なお、第２の嵌合部９４の形状はこれに限らず、四角形のような他の形状であっても良い。
【００６０】  二つの第２の嵌合部９４は、Ｙ軸に沿う方向に並べられる。二つの第２の嵌合部９４は、第１の嵌合部９３と同じく、柱部７１の二つの凹部７６に対応して配置される。すなわち、二つの第２の嵌合部９４の間隔は、二つの凹部７６の間隔に実質的に等しい。第２の嵌合部９４は、対応する第２の固定部９２に対して、例えばＸ軸に沿う方向である左方にずらされる。
【００６１】  補強部９５は、二つの第１の固定部９１の間から、二つの第２の固定部９２の間へ、Ｘ軸に沿う方向に延びる。補強部９５は、変換部材７２の上面７２ａに窪みを形成するとともに、下面７２ｂに突起を形成する。補強部９５は、柱部７１の溝７７に対応して配置される。
【００６２】  ブラケット７３は、例えば、曲げ加工された圧延鋼板によって作られる。なお、ブラケット７３は、他の方法で作られても良く、他の材料によって作られても良い。二つのブラケット７３は、互いに共通の形状を有する。ブラケット７３は、底壁１０１と、立壁１０２とを有する。
【００６３】  底壁１０１は、Ｙ軸に沿う方向に延びる。図５に示すように、底壁１０１に、二つの挿通孔１０４と、二つの突起１０５と、が設けられる。突起１０５は、第１の嵌り部の一例であり、例えば、凸部、挿入部、又は部分のようにも称され得る。
【００６４】  挿通孔１０４は、例えば、Ｘ軸に沿う方向において、底壁１０１の中央部に位置する。二つの挿通孔１０４は、Ｙ軸に沿う方向に並べられる。二つの挿通孔１０４は、変換部材７２の二つの第１の固定部９１に対応して配置される。さらに、二つの挿通孔１０４は、二つの第２の固定部９２にも対応して配置される。すなわち、二つの挿通孔１０４の間隔は、二つの第１の固定部９１の間隔に実質的に等しく、二つの第２の固定部９２の間隔にも実質的に等しい。
【００６５】  突起１０５は、例えば円形の突起であり、底壁１０１から下方に突出する。突起１０５は、挿通孔１０４に対して、例えばＸ軸に沿う方向である左方にずらされる。二つの突起１０５は、Ｙ軸に沿う方向に並べられる。
【００６６】  二つの突起１０５は、変換部材７２の二つの第１の嵌合部９３に対応して配置される。さらに、二つの突起１０５は、二つの第２の嵌合部９４にも対応して配置される。すなわち、二つの突起１０５の間隔は、二つの第１の嵌合部９３の間隔に実質的に等しく、二つの第２の嵌合部９４の間隔にも実質的に等しい。
【００６７】  立壁１０２は、底壁１０１の端部から、Ｚ軸に沿う方向に延びる。立壁１０２は、表示部１１に固定される。立壁１０２は、例えば、筐体２１の内部に配置された前記シャーシにねじ止めされる。
【００６８】  締結部材７４は、ブラケット７３の底壁１０１に重ねられる。締結部材７４は、二つのネジ孔１１１を有する。二つのネジ孔１１１は、ブラケット７３の二つの挿通孔１０４に重ねられる。すなわち、二つのネジ孔１１１は、二つの挿通孔１０４に対応して配置される。
【００６９】  以下、図５を参照して、左方の支柱３２Ｌと右方の支柱３２Ｒとについて説明する。支柱３２Ｌにおいて、変換部材７２が、対応する柱部７１の上端７１ａに配置される。変換部材７２の下面７２ｂは、柱部７１の上端７１ａに接する。この時、変換部材７２の補強部９５が、柱部７１の溝７７に嵌る。このため、補強部９５が変換部材７２の下面７２ｂと、柱部７１の上端７１ａとの接触を阻害することが抑制される。
【００７０】  変換部材７２の第１の固定部９１は、対応する柱部７１の固定孔７５に重ねられる。さらに、変換部材７２の第１の嵌合部９３と、対応する柱部７１の凹部７６とが嵌め合わされる。すなわち、第１の嵌合部９３の、変換部材７２の下面７２ｂから突出する部分が、凹部７６に嵌め込まれる。二つの第１の嵌合部９３が二つの凹部７６に嵌め込まれることで、柱部７１に対する変換部材７２の回転（ずれ）が抑制される。
【００７１】  支柱３２Ｌにおいて、第１のネジ１１５が、変換部材７２の第１の固定部９１を通り、柱部７１の固定孔７５にねじ込まれる。変換部材７２の第１の固定部９１は、第１のネジ１１５によって、左方の柱部７１に固定される。
【００７２】  一方、支柱３２Ｒにおいて、変換部材７２が、対応する柱部７１の上端７１ａに配置される。変換部材７２の第２の固定部９２が、対応する柱部７１の固定孔７５に重ねられる。さらに、変換部材７２の第２の嵌合部９４と、対応する柱部７１の凹部７６とが嵌め合わされる。すなわち、第２の嵌合部９４の、変換部材７２の下面７２ｂから突出する部分が、凹部７６に嵌め込まれる。
【００７３】  支柱３２Ｒにおいて、第１のネジ１１５が、変換部材７２の第２の固定部９２を通り、柱部７１の固定孔７５にねじ込まれる。変換部材７２の第２の固定部９２は、第１のネジ１１５によって、右方の柱部７１に固定される。
【００７４】  支柱３２Ｌにおいて、ブラケット７３の底壁１０１が、変換部材７２の上面７２ａに配置される。ブラケット７３の挿通孔１０４が、対応する変換部材７２の第２の固定部９２に重ねられる。さらに、ブラケット７３の突起１０５と、対応する変換部材７２の第２の嵌合部９４とが嵌め合わされる。すなわち、突起１０５が、変換部材７２の上面７２ａに開口する、第２の嵌合部９４の窪みに嵌め込まれる。二つの突起１０５が二つの第２の嵌合部９４に嵌め込まれることで、変換部材７２に対するブラケット７３の回転（ずれ）が抑制される。
【００７５】  第２のネジ１１６が、変換部材７２の第２の固定部９２と、ブラケット７３の挿通孔１０４とを通り、締結部材７４のネジ孔１１１にねじ込まれる。変換部材７２の第２の固定部９２は、第２のネジ１１６によって、左方のブラケット７３に固定される。すなわち、ブラケット７３は、柱部７１とＸ軸に沿う方向にずれた位置で変換部材７２に固定される。
【００７６】  一方、支柱３２Ｒにおいて、ブラケット７３の底壁１０１が、変換部材７２の上面７２ａに配置される。ブラケット７３の挿通孔１０４が、対応する変換部材７２の第１の固定部９１に重ねられる。さらに、ブラケット７３の突起１０５と、対応する変換部材７２の第１の嵌合部９３とが嵌め合わされる。すなわち、突起１０５が、変換部材７２の上面７２ａに開口する、第１の嵌合部９３の窪みに嵌め込まれる。
【００７７】  第２のネジ１１６が、変換部材７２の第１の固定部９１と、ブラケット７３の挿通孔１０４とを通り、締結部材７４のネジ孔１１１にねじ込まれる。変換部材７２の第１の固定部９１は、第２のネジ１１６によって、右方のブラケット７３に固定される。すなわち、ブラケット７３は、柱部７１とＸ軸に沿う方向にずれた位置で変換部材７２に固定される。
【００７８】  支柱３２Ｌにおいて、補強部９５の一部は、第１のネジ１１５によって柱部７１に固定される二つの第１の固定部９１の間に位置する。さらに、補強部９５の一部は、第２のネジ１１６によってブラケット７３に固定される二つの第２の固定部９２の間に位置する。これにより、補強部９５は、二つの第１の固定部９１の間、及び二つの第２の固定部９２の間で、変換部材７２が折れることを抑制する。
【００７９】  上述のように、共通の変換部材７２が、左方の支柱３２Ｌにおいても、右方の支柱３２Ｒにおいても、柱部７１とブラケット７３とを接続する。変換部材７２と、ブラケット７３と、締結部材７４とは、表示部１１の筐体２１の内部に配置され、筐体２１に覆われる。
【００８０】  なお、柱部７１の凹部７６に、ブラケット７３の突起１０５が嵌め込まれることが可能である。すなわち、ブラケット７３は、変換部材７２に固定されることなく、柱部７１に直接固定されても良い。
【００８１】  図２に示すように、スタンド１２は、二つのカバー１２０をさらに有する。カバー１２０は、第３の部分の一例であり、例えば、保持部、挿通部、取付部、又は部分のようにも称され得る。
【００８２】  カバー１２０は、例えば、ＡＢＳ樹脂又はポリスチレンのような合成樹脂によって作られ、可撓性を有する。なお、カバー１２０は、他の材料によって形成されても良い。図７に示すように、カバー１２０は、略Ｕ字状に形成され、第１の壁部１２１と、二つの第２の壁部１２２とを有する。第２の壁部１２２は、二つの壁の一例である。
【００８３】  第１の壁部１２１は、隙間を介して、柱部７１の後面７１ｄに面する。第１の壁部１２１は、柱部７１の後面７１ｄと略平行に延びる。なお、第１の壁部１２１は、柱部７１の後面７１ｄと異なる方向に延びても良い。
【００８４】  二つの第２の壁部１２２は、第１の壁部１２１からＹ軸に沿う方向に略平行に延びる。すなわち、第２の壁部１２２は、第１の壁部１２１と交差する方向に延びる。二つの第２の壁部１２２は、隙間を介して互いに向き合う。
【００８５】  第２の壁部１２２は、基端部１２２ａと、先端部１２２ｂとを有する。基端部１２２ａは、Ｙ軸に沿う方向における第２の壁部１２２の一方の端部であり、第１の壁部１２１に接続される。先端部１２２ｂは、Ｙ軸に沿う方向における第２の壁部１２２の他方の端部であり、柱部７１の後面７１ｄに当接する。図４に示すように、先端部１２２ｂは、柱部７１の後面７１ｄと略平行に、斜め方向（図４における左上方向）に延びる。
【００８６】  図７に示すように、二つの第２の壁部１２２の先端部１２２ｂに、掛部１２５がそれぞれ設けられる。カバー１２０に設けられた二つの掛部１２５は、第２の留め部の一例であり、例えば、爪、固定部、取付部、又は部分のようにも称され得る。
【００８７】  掛部１２５は、第２の壁部１２２の先端部１２２ｂと同じく、柱部７１の後面７１ｄと略平行に、斜め方向（図４における左上方向）に延びる。当該斜め方向は、第１の方向の一例である。
【００８８】  掛部１２５は、第２の壁部１２２の先端部１２２ｂからＹ軸に沿う方向に突出する部分と、当該部分からＸ軸に沿う方向に突出する爪状の部分とを有する。一方の掛部１２５の当該爪状の部分は、他方の掛部１２５の反対側に突出する。言い換えると、掛部１２５は、外側に向かって突き出た爪状の部分を有する。
【００８９】  二つの掛部１２５は、柱部７１の二つの取付溝８５に対応して配置される。二つの掛部１２５は、対応する取付溝８５に挿入される。取付溝８５に挿入された二つの掛部１２５は、二つの側壁８２の間に配置される。
【００９０】  掛部１２５は、対応する側壁８２に引っかかる。例えば、掛部１２５の前記爪状の部分は、側壁８２の内面に形成された溝に引っかかる。なお、掛部１２５は、例えば摩擦や嵌め合いのような他の方法により、対応する側壁８２に留められても良い。
【００９１】  掛部１２５が対応する側壁８２に留められることで、カバー１２０は、画面２２ａの反対側で支柱３２の柱部７１に取り付けられる。言い換えると、掛部１２５は、二つの側壁８２の間に配置されることで、カバー１２０を支柱３２に留める。
【００９２】  第２の壁部１２２は、外力を受けることで、基端部１２２ａを基点として撓められる。二つの第２の壁部１２２が互いに近付くように撓められると、当該第２の壁部１２２に設けられた二つの掛部１２５が互いに近づく。これにより、掛部１２５が対応する側壁８２から外れ、カバー１２０が支柱３２から取り外し可能となる。このとき、第２の壁部１２２全体が撓むことで掛部１２５が互いに近付くため、掛部１２５に応力集中が生じることが抑制される。
【００９３】  図８は、スタンド１２の一部とカバー１２０とを示す背面図である。図８に示すように、二つの第２の壁部１２２は、挟持部１３１をそれぞれ有する。挟持部１３１は、第３の留め部の一例であり、例えば、壁又は部分とも称され得る。
【００９４】  挟持部１３１は、Ｚ方向における第２の壁部１２２の一方の端部（下端部）である。なお、挟持部１３１はこれに限らない。二つの挟持部１３１は、互いに向き合うように配置される。
【００９５】  二つの挟持部１３１の間に、ベースフレーム３１の第１のピース３５の介在部４４が配置される。二つの挟持部１３１の間隔は、介在部４４の幅（Ｘ軸に沿う方向における寸法）よりも僅かに狭い。このため、二つの挟持部１３１は、介在部４４を挟持する。このように、介在部４４が二つの挟持部１３１の間に配置されることで、カバー１２０がベースフレーム３１に留められる。
【００９６】  二つの挟持部１３１は、爪１３２をそれぞれ有する。爪１３２は、Ｘ軸に沿う方向に突出する。一方の挟持部１３１の爪１３２は、他方の挟持部１３１に向いて突出する。すなわち、爪１３２は、内側に向かって突き出る。
【００９７】  介在部４４が二つの挟持部１３１の間に配置されると、爪１３２は、対応する底溝４８に引っかかる。すなわち、二つの挟持部１３１と、当該二つの挟持部１３１の間に配置された介在部４４とは、互いに引っかかる。なお、介在部４４に爪が設けられ、挟持部１３１に当該爪に対応する溝が設けられても良い。
【００９８】  介在部４４と挟持部１３１とは、Ｙ軸に沿う方向に延びる。このため、介在部４４と挟持部１３１とが互いに引っかかることで、カバー１２０は、Ｚ軸に沿う方向へ移動することが制限される。
【００９９】  一方、掛部１２５と側壁８２とは、斜め方向（図４における左上方向）に延びる。このため、掛部１２５と側壁８２とが互いに引っかかることで、カバー１２０は、当該斜め方向と直交する方向（図４における右上方向）へ移動することが制限される。このように、介在部４４と挟持部１３１とによってカバー１２０の移動が制限される方向と、掛部１２５と側壁８２とによってカバー１２０の移動が制限される方向とは交差する。
【０１００】  カバー１２０は、例えば、二つの第２の壁部１２２が、互いに離れるように第１の壁部１２１から延びても良い。すなわち、二つの第２の壁部１２２の基端部１２２ａの間隔が、先端部１２２ｂの間隔よりも狭くても良い。この場合、掛部１２５は、対応する側壁８２に弾性的に当接する。このため、掛部１２５は、より確実に側壁８２に引っかかる。
【０１０１】  さらに、カバー１２０は、例えば、二つの第２の壁部１２２が、互いに近付くように第１の壁部１２１から延びても良い。すなわち、二つの第２の壁部１２２の基端部１２２ａの間隔が、先端部１２２ｂの間隔よりも広くても良い。この場合、介在部４４が二つの挟持部１３１の間に配置されることで、二つの第２の壁部１２２は介在部４４によって拡げられる。これにより、先端部１２２ｂの間隔が広げられ、掛部１２５が対応する側壁８２に押し付けられる。このため、掛部１２５は、より確実に側壁８２に引っかかる。
【０１０２】  図７に示すように、柱部７１と、第１の壁部１２１と、二つの第２の壁部１２２とに囲まれた部分に、ケーブルＣが通される。言い換えると、ケーブルＣは、二つの第２の壁部１２２の間に通される。ケーブルＣは、例えば、アンテナケーブルのような種々のケーブルであり、表示部１１から延びる。ケーブルＣは、第１の壁部１２１と、第２の壁部１２２とによって覆われる。さらに、ケーブルＣは、柱部７１の後方を通されるため、柱部７１によって隠される。
【０１０３】  カバー１２０は、ケーブルＣを覆う。さらに、カバー１２０は、表示部１１から延びる複数のケーブルＣを束ねても良い。これにより、ケーブルＣは前方から視認され難くなる。なお、カバー１２０はケーブルＣに限らず、他の部品、部材、又は部分を覆っても良い。例えば、使われない前記転倒防止部材やネジが支柱３２に取り付けられ、当該転倒防止部材やネジをカバー１２０が覆っても良い。
【０１０４】  図８に示すように、第１の壁部１２１と、二つの第２の壁部１２２とによって、第１の開放部１３５と、第２の開放部１３６とが形成される。第１の開放部１３５は、第１の壁部１２１の上方の端部と、二つの第２の壁部１２２とによって形成される。第２の開放部１３６は、第１の壁部１２１の下方の端部と、二つの第２の壁部１２２とによって形成される。
【０１０５】  ケーブルＣは、第１の開放部１３５を通り、柱部７１と、第１の壁部１２１と、二つの第２の壁部１２２とに囲まれた部分に入る。ケーブルＣは、第２の開放部１３６を通り、カバー１２０の外部に出される。
【０１０６】  第１の実施の形態に係るテレビ１０において、カバー１２０が、画面２２ａの反対側で支柱７１に接し、スタンド１２に取り付けられる。カバー１２０が支柱７１の後方に位置することで、カバー１２０と、カバー１２０が覆うケーブルＣとが目立たなくなる。このような簡易な構成により、テレビ１０の外観が向上する。言い換えると、外観のより良いテレビ１０が、より安価に製造されることができる。
【０１０７】  ベースフレーム３１の介在部４４がカバー１２０の二つの挟持部１３１の間に配置され、カバー１２０の二つの掛部１２５が支柱３２の二つの側壁８２の間に配置される。これにより、スタンド１２とカバー１２０とが互いに留め合わされる。例えば、カバー１２０の寸法のばらつきが生じても、カバー１２０は、簡易な構造でありながらスタンド１２により確実に取り付けられる。したがって、カバー１２０を簡易な構造に形成でき、テレビ１０の製造コストが低減される。
【０１０８】  二つの第２の壁部１２２に、掛部１２５と、挟持部１３１とがそれぞれ設けられる。二つの挟持部１３１の間に介在部４４が配置されることで、二つの第２の壁部１２２は介在部４４によって拡げられる。一方、柱部７１の二つの側壁８２の間に、二つの掛部１２５が配置される。二つの第２の壁部１２２が介在部４４によって拡げられるため、掛部１２５は、当該掛部１２５の外側に位置する側壁８２に押し付けられる。これにより、カバー１２０がスタンド１２により確実に取り付けられる。
【０１０９】  二つの第２の壁部１２２の間に、表示部１１から延ばされたケーブルＣが通される。これにより、ケーブルＣがカバー１２０によって覆い隠され、テレビ１０の外観がより良くされる。
【０１１０】  二つの掛部１２５は、爪状の部分を有し、二つの側壁８２にそれぞれ引っかけられる。これにより、カバー１２０がスタンド１２により確実に取り付けられる。
【０１１１】  二つの挟持部１３１の爪１３２は、介在部４４の底溝４８に引っかけられる。さらに、挟持部１３１と介在部４４とは、掛部１２５と側壁８２とが延びる斜め方向（図４における左上方向）に対して交差するＹ軸に沿う方向に延びる。このため、挟持部１３１と介在部４４との引っかかりによってカバー１２０の移動が抑制される方向（Ｚ軸に沿う方向）と、掛部１２５と側壁８２との引っ掛かりによってカバー１２０の移動が抑制される方向（図４における右上方向）とが交差する。このように、カバー１２０は二つの方向への移動が制限されるため、カバー１２０の移動やがたつきが抑制される。
【０１１２】  変換部材７２は、ブラケット７３と柱部７１との間に介在し、ブラケット７３と柱部７１とを互いにずれた位置で固定する。二つの変換部材７２は、互いに共通の形状を有する。このため、テレビ１０の製造コストを低減できるとともに、二つの変換部材７２の間で取り付け間違いが生じることを抑制できる。
【０１１３】  変換部材７２の第１の嵌合部９３及び第２の嵌合部９４は、それぞれ、柱部７１の凹部７６と嵌り合うように構成される。さらに、当該第１の嵌合部９３及び第２の嵌合部９４は、それぞれ、ブラケット７３の突起１０５とも嵌り合うように構成される。これにより、ブラケット７３は、突起１０５が第１の嵌合部９３に嵌る位置と、第２の嵌合部９４に嵌る位置とに配置され得る。さらに、柱部７１も、凹部７６に第１の嵌合部９３が嵌る位置と、凹部７６に第２の嵌合部９４が嵌る位置とに配置され得る。したがって、テレビ１０における柱部７１、変換部材７２、及びブラケット７３の配置にかかわらず、変換部材７２が共通化され得る。
【０１１４】  第１の嵌合部９３は、対応する第１の固定部９１に対して左方にずらされる。同様に、第２の嵌合部９４は、対応する第２の固定部９２に対して左方にずらされる。これにより、変換部材７２の幅（Ｙ軸に沿う寸法）が短くされ、テレビ１０の製造コストが低減されたり、テレビ１０が小型化されたりできる。
【０１１５】  二つのブラケット７３は、互いに共通の形状を有する。さらに、二つの柱部７１も、互いに共通の形状を有する。これにより、テレビ１０の部品の種類が低減され、テレビ１０の製造コストが低減される。
【０１１６】  ブラケット７３及び変換部材７２は、表示部１１の内部に配置される。これにより、変換部材７２によって柱部７１とブラケット７３とがずらされることが、テレビ１０の外部から判別されることが抑制される。
【０１１７】  ベースフレーム３１が、一方の支柱３２から他方の支柱３２に延ばされる。ベースフレーム３１は、互いに接続される複数の部材（第１乃至第３のピース３５〜３７）を有する。例えば、支柱３２の間隔が比較的狭いテレビ１０においては、部材の個数が比較的少なくされたり、比較的寸法が短い部材が用いられたりする。さらに、支柱３２の間隔が比較的広いテレビ１０においては、部材の個数が比較的多くされたり、比較的寸法が長い部材が用いられたりする。このように、二つの支柱３２の間隔が異なる複数種類のテレビ１０において、部材の個数及び寸法を変更することで各テレビ１０に対応するベースフレーム３１が作られ得る。したがって、ベースフレーム３１の部材が複数種類のテレビ１０の間で共通化され、テレビ１０の製造コストが低減される。
【０１１８】  さらに、ベースフレーム３１が複数の部材（第１乃至第３のピース３５〜３７）によって作られる。このため、例えばベースフレーム３１が単一の部材によって作られる場合よりも、加工費が低減されたり、形状の自由度が向上したりする。さらに、加工によって生じる廃材が低減される。すなわち、ベースフレーム３１が安価且つ容易に作られる。
【０１１９】  ベースフレーム３１が、二つの支柱３２に取り付けられる二つの第１のピース３５と、両端が二つの第１のピース３５に接続された部分（第２及び第３のピース３６，３７）と、を有する。これにより、長さの違う第２及び第３のピース３６，３７を用いることで、第１のピース３５が複数種類のテレビ１０の間で共通化され、テレビ１０の製造コストが低減される。
【０１２０】  ベースフレーム３１が、共通の第２のピース３６と、第３のピース３７と、を有する。このように、ベースフレーム３１が共通の第２のピース３６を含むため、テレビ１０の製造コストが低減される。
【０１２１】  第１のピース３５と対応する第２のピース３６とが接続された部分が、画面２２ａに対して前方にずらされる。これにより、第１のピース３５と第２のピース３６とが接続された部分が破断したとしても、テレビ１０が前方に転倒することが抑制される。
【０１２２】  ゴム足６５は、第１のピース３５と第２のピース３６とが接続された位置に取り付けられる。これにより、第１のピース３５と第２のピース３６とが接続された部分が補強されるとともに、第１のピース３５と第２のピース３６とが接続された部分が隠される。
【０１２３】  第１乃至第３のピース３５〜３７は、溶接によって互いに接続される。これにより、安価且つ強固にベースフレーム３１が製造される。第１乃至第３のピース３５〜３７の溶接された部分が研磨されることで、ベースフレーム３１が第１乃至第３のピース３５〜３７を有することが認識され難くなり、テレビ１０の外観がより良くされる。
【０１２４】  図９は、第１の実施形態の変形例におけるベースフレーム３１を示す斜視図である。本変形例におけるベースフレーム３１は、例えば、第１の実施形態の表示部１１よりも大きい表示部１１を有するテレビ１０に適用される。
【０１２５】  図９の変形例において、第２のピース３６の長辺部５２は、Ｙ軸に沿う方向に延びる。第２のピース３６の第２の端部５６は、第１のピース３５の前端部４１に溶接される。このように、本変形例において、第２の端部５６が、第２のピースの一方の端部の一例である。
【０１２６】  さらに、第２のピース３６の短辺部５１は、Ｘ軸に沿う方向に延びる。第２のピース３６の第１の端部５５は、第３のピース３７の左端部６１又は右端部６２に溶接される。このように、本変形例において、第１の端部５５が、第２のピースの他方の端部の一例である。本変形例における第３のピース３７の長さは、第１の実施形態における第３のピース３７の長さよりも長い。
【０１２７】  このような変形例におけるベースフレーム３１のＹ軸に沿う方向における寸法は、第１の実施形態のベースフレーム３１のＹ軸に沿う方向における寸法よりも長い。すなわち、共通の第２のピース３６によって、ベースフレーム３１の寸法及び形状が容易に変更される。
【０１２８】  第２のピース３６は、Ｙ軸に沿う方向に延びる短辺部５１と、Ｘ軸に沿う方向に延びるとともに短辺部５１よりも長い長辺部５２と、を有する。第１のピース３５に接続される部分を、短辺部５１と、長辺部５２との間で変更することで、テレビ１０に対応するベースフレーム３１が作られ得る。これにより、第２のピース３６が複数種類のテレビ１０の間で共通化され、テレビ１０の製造コストが低減される。
【０１２９】  以下に、第２の実施の形態について、図１０を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【０１３０】  図１０は、第２の実施の形態に係る支柱３２を示す断面図である。図１０に示すように、柱部７１は、二つの凹部７６の代わりに、二つの凸部１５１を有する。凸部１５１は、第３の嵌り部の一例である。
【０１３１】  凸部１５１は、柱部７１の上端７１ａから突出する円形の突起である。凸部１５１は、固定孔７５に対して、例えばＸ軸に沿う方向である左方にずらされる。二つの凸部１５１は、Ｙ軸に沿う方向に並ぶ。なお、凸部１５１の形状及び配置はこれに限らない。
【０１３２】  変換部材７２は、二つの第１の嵌合部９３の代わりに、二つの第１の嵌合孔１５２を有する。さらに、変換部材７２は、二つの第２の嵌合部９４の代わりに、二つの第２の嵌合孔１５３を有する。第１の嵌合孔１５２及び第２の嵌合孔１５３は、第２の嵌り部の一例である。
【０１３３】  第１の嵌合孔１５２は、変換部材７２の上面７２ａから下面７２ｂまで設けられる。二つの第１の嵌合孔１５２は、Ｙ軸に沿う方向に並べられる。二つの第１の嵌合孔１５２は、柱部７１の二つの凸部１５１に対応して配置される。すなわち、二つの第１の嵌合孔１５２の間隔は、二つの凸部１５１の間隔に実質的に等しい。第１の嵌合孔１５２は、対応する第１の固定部９１に対して、例えばＸ軸に沿う方向である左方にずらされる。
【０１３４】  第２の嵌合孔１５３は、変換部材７２の上面７２ａから下面７２ｂまで設けられる。二つの第２の嵌合孔１５３は、Ｙ軸に沿う方向に並べられる。二つの第２の嵌合孔１５３は、第１の嵌合孔１５２と同じく、柱部７１の二つの凸部１５１に対応して配置される。すなわち、二つの第２の嵌合孔１５３の間隔は、二つの凸部１５１の間隔に実質的に等しい。第２の嵌合孔１５３は、対応する第２の固定部９２に対して、例えばＸ軸に沿う方向である左方にずらされる。
【０１３５】  ブラケット７３の二つの突起１０５は、変換部材７２の二つの第１の嵌合孔１５２に対応して配置される。さらに、二つの突起１０５は、二つの第２の嵌合孔１５３にも対応して配置される。すなわち、二つの突起１０５の間隔は、二つの第１の嵌合孔１５２の間隔に実質的に等しく、二つの第２の嵌合孔１５３の間隔にも実質的に等しい。
【０１３６】  支柱３２Ｌにおいて、柱部７１の二つの凸部１５１は、変換部材７２の二つの第１の嵌合孔１５２に嵌め込まれる。さらに、ブラケット７３の二つの突起１０５は、変換部材７２の二つの第２の嵌合孔１５３に嵌め込まれる。
【０１３７】  一方、支柱３２Ｒにおいて、柱部７１の二つの凸部１５１は、変換部材７２の二つの第２の嵌合孔１５３に嵌め込まれる。さらに、ブラケット７３の二つの突起１０５は、変換部材７２の二つの第１の嵌合孔１５２に嵌め込まれる。
【０１３８】  第２の実施形態のテレビ１０において、変換部材７２の第１の嵌合孔１５２及び第２の嵌合孔１５３は、柱部７１の凸部１５１と嵌り合う。さらに、第１の嵌合孔１５２及び第２の嵌合孔１５３は、ブラケット７３の突起１０５とも嵌り合う。
【０１３９】  第１の嵌合孔１５２及び第２の嵌合孔１５３は、変換部材７２の上面７２ａから下面７２ｂまで設けられる。このため、第１の嵌合孔１５２に柱部７１の凸部１５１、又はブラケット７３の突起１０５が嵌っていることが視認され得る。同様に、第２の嵌合孔１５３に柱部７１の凸部１５１、又はブラケット７３の突起１０５が嵌っていることが視認され得る。したがって、柱部７１は、容易に正しい位置で変換部材７２に取り付けられる。同様に、ブラケット７３は、容易に正しい位置で変換部材７２に取り付けられる。
【０１４０】  以上説明した少なくとも一つの実施形態によれば、第３の部分が画面の反対側で支柱に接し、第２の部分に取り付けられるよう構成される。したがって、より外観の良い映像表示装置がより安価に作られる。
【０１４１】  本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、請求の範囲に記載された発明とその均等の範囲に含まれる。
【０１４２】  例えば、上記実施形態において、変換部材７２は、第１の固定部９１と、第２の固定部９２と、第１の嵌合部９３と、第２の嵌合部９４とを有する。これに限らず、変換部材７２は、第１の固定部９１及び第２の固定部９２と並ぶ他の固定部と、第１の嵌合部９３及び第２の嵌合部９４と並ぶ他の嵌合部とを、さらに有しても良い。すなわち、変換部材７２に柱部７１又はブラケット７３が固定される場所が、三つ以上設けられても良い。これにより、変換部材７２は、さらに多数の種類のテレビ１０において共通化される。
【０１４３】  さらに、上記実施形態において、ベースフレーム３１に第３の留め部の一例である介在部４４が設けられ、支柱３２に第１の留め部の一例である二つの側壁８２が設けられる。これに限らず、ベースフレーム３１に二つの第１の留め部が設けられ、支柱３２に第３の留め部が設けられても良い。
【図１】
2015145581.tif 000003
【図２】
2015145581.tif 000004
【図３】
2015145581.tif 000005
【図４】
2015145581.tif 000006
【図５】
2015145581.tif 000007
【図６】
2015145581.tif 000008
【図７】
2015145581.tif 000009
【図８】
2015145581.tif 000010
【図９】
2015145581.tif 000011
【図１０】
2015145581.tif 000012
【国際調査報告】
2015145581.tif 000013
2015145581.tif 000014
2015145581.tif 000015
2015145581.tif 000016